(57)【要約】【課題】収納容器を中間位置まで引き出した状態で収納容器が勝手に開閉しないような冷蔵庫を提供する。【解決手段】  野菜室６の両側に設けられ冷蔵庫１本体の野菜収納庫５１から野菜室６を出し入れするときはそれぞれローラ６１上に乗って野菜室６を野菜収納庫５１内壁に支持させるレール５２を備える。レール５２のローラ６１上の下面５２ａは、野菜室６の開きかけのときはローラ６１に対して上り坂である第１の斜面５２ｂをなし、野菜室６をさらに開くときはローラ６１に対して下り坂である第２の斜面５２ｃをなし、野菜室６をさらに開くときはローラ６１に対して平坦面５２ｄをなす。【選択図】図２
2020186849.tif 000002
【特許請求の範囲】
【請求項１】
冷蔵庫本体と、
冷蔵庫本体の収納室から出し入れ自在な収納容器と、
前記収納室内壁の両側にそれぞれ設けられたローラと、
前記収納容器の両側に設けられ冷蔵庫本体の収納室から前記収納容器を出し入れするときはそれぞれ前記ローラ上に乗って前記収納容器を前記収納室内壁に支持させるレールとを備え、
前記レールのローラ上の下面は、前記収納容器の開きかけのときは前記ローラに対して上り坂である第１の斜面をなし、前記収納容器をさらに開くときは前記ローラに対して下り坂である第２の斜面をなし、前記収納容器をさらに開くときは前記ローラに対して平坦面をなすことを特徴とする冷蔵庫。
【請求項２】
前記レールのローラ上の下面は、前記収納容器を全開した状態から幾分か閉じるときは前記ローラに対して下り坂である第３の斜面をなすことを特徴とする請求項１に記載の冷蔵庫。
【請求項３】
前記収納容器は、野菜室であることを特徴とする請求項１又は請求項２に記載の冷蔵庫。
【発明の詳細な説明】
【技術分野】
【０００１】
本発明は、冷蔵庫に関する。
【背景技術】
【０００２】
本技術分野の背景技術として、特開平２０１１−２５４９９７号公報（特許文献１）がある。この公報には、「収納部に対する引出の引き出し及び引き込み動作の少なくとも一方をアシストするアシスト機構であって、前記収納部及び引出の一方側に前記引出の動作方向に沿って設けられたガイドレールと、前記収納部及び引出部材の他方側に支持され前記引出の動作に応じて前記ガイドレールに倣って進退移動するガイドローラと、該ガイドローラを前記ガイドレール側に進出付勢するコイルばねとを備え、前記ガイドレールは、少なくとも前記引出の動作方向の一側に設けられ端部側に向けて後傾のアシスト面を有することを特徴とする。」と記載されている（要約参照）。
【先行技術文献】
【特許文献】
【０００３】
【特許文献１】特開２０１１−２５４９９７号公報
【発明の概要】
【発明が解決しようとする課題】
【０００４】
しかしながら、特許文献１の技術では、引出を中間位置まで引き出した状態で、その開閉のアシスト力（開閉力）が引出に加わらないようにして、勝手に引出が開閉しないようにする点については考慮されていない。
そこで、本発明は、収納容器を中間位置まで引き出した状態で収納容器が勝手に開閉しないような冷蔵庫を提供することを課題とする。
【課題を解決するための手段】
【０００５】
上記課題を解決するため、本発明は、冷蔵庫本体と、冷蔵庫本体の収納室から出し入れ自在な収納容器と、前記収納室内壁の両側にそれぞれ設けられたローラと、前記収納容器の両側に設けられ冷蔵庫本体の収納室から前記収納容器を出し入れするときはそれぞれ前記ローラ上に乗って前記収納容器を前記収納室内壁に支持させるレールとを備え、前記レールのローラ上の走行面は、前記収納容器の開きかけのときは前記ローラに対して上り坂である第１の斜面をなし、前記収納容器をさらに開くときは前記ローラに対して下り坂である第２の斜面をなし、前記収納容器をさらに開くときは前記ローラに対して平坦面をなすことを特徴とする。
【発明の効果】
【０００６】
本発明によれば、収納容器を中間位置まで引き出した状態で収納容器が勝手に開閉しないような冷蔵庫を提供することができる。
上記した以外の課題、構成及び効果は、以下の実施形態の説明により明らかにされる。
【図面の簡単な説明】
【０００７】
【図１】本発明の一実施形態に係る冷蔵庫の正面図である。
【図２】本発明の一実施形態に係る冷蔵庫の野菜収納庫の側面図である。
【図３】本発明の一実施形態に係る冷蔵庫の野菜収納庫の上面図である。
【図４】本発明の一実施形態に係る冷蔵庫のハンドルを引いて野菜室を開きかけの状態における野菜収納庫の側面図である。
【図５】本発明の一実施形態に係る冷蔵庫において図４の状態からさらにハンドルを引いた状態の野菜収納庫の側面図である。
【図６】本発明の一実施形態に係る冷蔵庫において図５の状態から野菜室がさらに開いた状態を示す野菜収納庫の側面図である。
【図７】本発明の一実施形態に係る冷蔵庫においてローラが第３の斜面直前に位置するまで野菜室が開いたときの野菜収納庫の側面図である。
【図８】本発明の一実施形態に係る冷蔵庫においてローラが第３の斜面に位置するまで野菜室が開いたときの野菜収納庫の側面図である。
【発明を実施するための形態】
【０００８】
以下、本発明の実施例について図面を用いて説明する。以下の説明において、上下左右の方向は図１中に示す上下左右の方向を基準とし、前後の方向は図２、図３中に示す前後の方向を基準とする。
【０００９】
図１は、本発明の一実施形態に係る冷蔵庫の正面図である。まず、冷蔵庫１本体全体の概要について説明する。図１に示すように、本実施形態の冷蔵庫１は、上方から、冷蔵室２と、左右に並べた製氷室３及び上段冷凍室４と、下段冷凍室５と、野菜室６と、を有している。なお、一例として、冷蔵室２及び野菜室６は、およそ３〜５℃の冷蔵温度帯の貯蔵室である。また、製氷室３、上段冷凍室４及び下段冷凍室５は、およそ−１８℃の冷凍温度帯の貯蔵室である。
【００１０】
冷蔵室２は、左右に分割された、前方側（図１の紙面手前側）に観音開きの、いわゆるフレンチ型の冷蔵室扉２ａ及び冷蔵室扉２ｂを備えている。冷蔵室扉２ａ、２ｂはヒンジ１７ａ及びヒンジ１７ｂのまわりに回動する。左右の冷蔵室扉２ａ、２ｂ同士の隙間を閉鎖するために、冷蔵室扉２ａの冷蔵室扉２ｂに近接した辺に沿って、回転仕切り１８が設けられている。
【００１１】
製氷室３、上段冷凍室４、下段冷凍室５、及び野菜室６は、それぞれ引き出し式の製氷室扉３ａ、上段冷凍室扉４ａ、下段冷凍室扉５ａ、及び野菜室扉６ａを備えている。なお、以下の説明において、左右の冷蔵室扉２ａ、２ｂ、製氷室扉３ａ、上段冷凍室扉４ａ、下段冷凍室扉５ａ、及び野菜室扉６ａのそれぞれは、単に扉２ａ、扉２ｂ、扉３ａ、扉４ａ、扉５ａ、及び扉６ａと称せられる場合がある。
【００１２】
冷蔵庫１は、扉２ａ、扉２ｂ、扉３ａ、扉４ａ、扉５ａ、及び扉６ａのそれぞれの開閉状態を検知する扉センサ（図示省略）と、これらの扉２ａ，２ｂ，３ａ，４ａ，５ａ，６ａの少なくともいずれかが開放していると判定された状態が所定時間（例えば、１分間以上）継続された場合に、使用者にその旨を報知する報知手段（図示省略）と、冷蔵室２、上段冷凍室４、下段冷凍室５等の温度設定をする温度設定器、所定の操作部、表示部等を備える図１に示すコントロールパネル４０等を備えている。
【００１３】
図２は、野菜収納庫の側面図、図３は、同上面図である。冷蔵庫１の収納室となる野菜収納庫５１内には収納容器となる野菜室６が出し入れ自在に収容されている。野菜室６の左右は一対のレール５２によって支持されている。各レール５２の後端部には、それぞれ冷蔵庫１の筐体５３側にローラ５４が設けられている。また、筐体５３の左右の板５３ａ，５３ｂの内側には、冷蔵庫１の前後方向を長さ方向とする長孔５５がそれぞれ形成されている。長孔５５にはローラ５４が係合していて、野菜室６の前後の動きに合わせてローラ５４が長孔５５内を移動し、野菜室６の後方側を支持する。
【００１４】
筐体５３の左右の板５３ａ，５３ｂの内側（野菜収納庫５１内壁）前部には、それぞれローラ６１が設けられている。この各ローラ６１でレール５２の下面５２ａが支持されている。レール５２は、冷蔵庫１の野菜収納庫５１から野菜室６を出し入れするときはそれぞれローラ６１上に乗って、野菜室６を筐体５３の左右の板５３ａ，５３ｂの内側（野菜収納庫５１内壁）に支持させる。
【００１５】
図２に示すように、野菜室扉６ａの外面上部にはハンドル７１が設けられている。ハンドル７１を引っ張ると、ハンドル支点７２を介して突出部材７３の先端側が突出し、冷蔵庫１の筐体５３の壁を押して、テコの原理で所定距離だけ野菜収納庫５１を軽く引き出すことができる。
【００１６】
図３に示すように、筐体５３の左右の板５３ａ，５３ｂの前面にはパッキン８１が設けられている。野菜室扉６ａを閉めるときに野菜室扉６ａが筐体５３の左右の板５３ａ，５３ｂに当接すると、パッキン８１によって野菜室６は密閉される。
【００１７】
ここで、レール５２の下面５２ａの形状について図２を参照して説明する。レール５２のローラ６１上の面である下面５２ａにおいて、野菜室扉６ａに最も近い前方側には、後方側に向かってローラ６１に対して上り坂である第１の斜面５２ｂが設けられている。次に、第１の斜面５２ｂと連続して、第１の斜面５２ｂよりも後方側の下面５２ａは、後方側に向かってローラ６１に対して下り坂である第２の斜面５２ｃをなしている。また、第２の斜面５２ｃと連続して、第２の斜面５２ｃよりも後方側の下面５２ａは、ローラ６１に対して長い平坦面５２ｄをなす。平坦面５２ｄよりも後方側の下面５２ａは、レール５２の後方側からみてローラ６１に対して下り坂（レール５２の前方側からみてローラ６１に対して上り坂）である第３の斜面５２ｅをなしている。第３の斜面５２ｅよりも後方側の下面５２ａは、ローラ６１に対して平坦面５２ｆをなしている。
【００１８】
次に、本実施形態の作用効果について説明する。
図４は、ハンドル７１を引いて野菜室６を開きかけの状態における野菜収納庫５１の側面図である。このとき、ローラ６１に対して上り坂となる第１の斜面５２ｂが乗っている。そのため、ハンドル７１から手を離せば第１の斜面５２ｂがローラ６１を下って野菜室６は閉じる。
【００１９】
図５は、図４の状態からさらにハンドル７１を引いた状態の野菜収納庫５１の側面図である。このとき、ハンドル７１を引っ張ると、ハンドル支点７２を介して突出部材７３の先端側が突出し、冷蔵庫１の筐体５３の壁を押して、テコの原理で所定距離だけ野菜収納庫５１を軽く引き出すことができる。よって、上り坂である第１の斜面５２ｂを軽く乗り越えることができる。ここでハンドル７１から手を離せば、ローラ６１には下り坂である第２の斜面５２ｃが乗っているので、第２の斜面５２ｃがローラ６１上を下ろうとして野菜室６は自重によって勝手に開こうとする。
【００２０】
図６は、図５の状態から野菜室６がさらに開いた状態を示す野菜収納庫５１の側面図である。ローラ６１から第２の斜面５２ｃが降りた後であるため、ローラ６１上を平坦面５２ｄが慣性力により移動する。これによって、ローラ６１が第２の斜面５２ｃを通過しても野菜室６はしばらく自動で開く。
【００２１】
図７は、ローラ６１が第３の斜面５２ｅ直前に位置するまで野菜室６が開いたときの野菜収納庫５１の側面図である。図６のようにローラ６１上を平坦面５２ｄの途中まで慣性力により移動した後、ローラ６１が第３の斜面５２ｅ直前に位置するまでは、ローラ６１上には平坦面５２ｄが乗っているため、野菜室６は自動では開閉しない状態にある。すなわち、野菜室６を中間位置まで引き出した状態で野菜室６を勝手に開閉しない安定した状態にすることができる。
【００２２】
図８は、ローラ６１が第３の斜面５２ｅに位置するまで野菜室６が開いたときの野菜収納庫５１の側面図である。図７の状態から野菜室６をさらに開いていくとローラ６１に第３の斜面５２ｅが乗る。そして、次に、ローラ６１に平坦面５２ｆが乗る。第３の斜面５２ｅは、野菜室６を開いていくときはローラ６１に対して上り坂となる。この場合、野菜室６は相当程度開いており、野菜室扉６ａ側が下がってしまって、床に接触しそうになる。しかし、第３の斜面５２ｅがローラ６１に乗り上げ、平坦面５２ｆに達することで、野菜室６を持ち上げ、野菜室扉６ａ側が下がってしまうのを防止することができる。
【００２３】
野菜室６を全開した状態から野菜室６を閉じようとすると、ローラ６１に第３の斜面５２ｅが乗る。このとき、第３の斜面５２ｅはローラ６１に対して下り坂になるので、野菜室６を閉じるようにアシスト力が働く。よって、これが野菜室６を閉じる動作の補助になる。
【００２４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【００２５】
例えば、前記の野菜室６の構造を下段冷凍室５に適用するようにしてもよい。
【符号の説明】
【００２６】
１      冷蔵庫（冷蔵庫本体）
６      野菜室（収納容器）
５１    野菜収納庫（収納室）
５２    レール
５２ａ  下面
５２ｂ  第１の斜面
５２ｃ  第２の斜面
５２ｄ  平坦面
５２ｅ  第３の斜面
６１    ローラ
【図１】
2020186849.tif 000003
【図２】
2020186849.tif 000004
【図３】
2020186849.tif 000005
【図４】
2020186849.tif 000006
【図５】
2020186849.tif 000007
【図６】
2020186849.tif 000008
【図７】
2020186849.tif 000009
【図８】
2020186849.tif 000010